(57)【要約】【課題】シートの重なり幅を調整できるシート積層体を提供する。【解決手段】第１シート１は、Ｚ形に折り畳んだ、上シート部１１と中シート部１２と下シート部１３からなり、第２シート２は、Ｓ型に折り畳んで、上シート部２１と中シート部２２と下シート部２３からなり、第１シート１と第２シート２を、Ｚ字状に配置した第１シート１、Ｓ字状に配置した第２シート２、左右反転Ｚ字状に配置した第１シート１Ｒ、左右反転Ｓ字状に配置した第２シート２Ｒ、の順で繰返し積み重ねており、各第２シート２，２Ｒの上シート部２１を各第１シート１，１Ｒの上シート部１１と中シート部１２の間に差込み、かつ各第１シート１，１Ｒの上シート部１１を各第２シート２，２Ｒの中シート部２２と下シート部２３の間に差込んでいる。第２シート２，２Ｒの折曲げ点３１，３２を変え、第１シート部１，１Ｒとの重なり幅を変えて使用する。【選択図】図１
2005287610.tif 000002
【特許請求の範囲】
【請求項１】
第１シートと第２シートを交互に積み重ねたウエットシートの積層体であって、
前記第１シートは、Ｚ形に折り畳んだ、上シート部と中シート部と下シート部からなり、かつ前記上シート部は前記中シート部と下シート部より幅広であり、
前記第２シートは、Ｓ型に折り畳んで、上シート部と中シート部と下シート部からなり、
前記第１シートと前記第２シートを、
Ｚ字状に配置した第１シート、
Ｓ字状に配置した第２シート、
左右反転Ｚ字状に配置した第１シート、
左右反転Ｓ字状に配置した第２シート、
の順で繰返し積み重ねており、
前記各第２シートの上シート部を各第１シートの上シート部と中シート部の間に差込み、かつ各第１シートの上シート部を各第２シートの中シート部と下シート部の間に差込んでいる
ことを特徴とするシート積層体。
【請求項２】
前記第２シートの折曲げ点を変え、該第２シートの前記上シート部と前記下シート部のそれぞれの幅を変えて、前記第１シート部との重なり幅を変えて使用する
ことを特徴とする請求項１記載のシート積層体。
【発明の詳細な説明】
【技術分野】
【０００１】
本発明は、シート積層体に関する。本明細書でいうシートとは、洗浄液などの液体を含ませた不織布や紙などのウエットシートと、液体を含んでいないドライシートの両方をいう。これらのウエットシートやドライシートの用途には、便器などを清掃するための厚みのある清掃用ウエットシートや、赤ちゃんのお尻を拭いたり、油の付いた手から油を拭い取ったりするための薄いウエットティッシュ、さらに乾いた状態で使用するティッシュペーパなどがある。これらのシートは、洗浄液などが乾燥しないように、密封可能な容器に収納されたり、使い勝手をよくするため適宜の容器に入れて使用される。しかるに、容器に収納されたシート集積物の枚数は数十枚もあるので、いったん使用し始めてから使い切るまでの使い勝手が良くなければならない。通常、容器は、合成樹脂製の硬い容器と軟性の収納袋とがあり、軟性の収納袋は、軟性の合成樹脂シートなどで袋状に成形し、シートの取出口を１カ所設け、その取出口は繰返し開閉可能なラベルで蓋されている。本発明は、このような軟性の収納袋あるいは硬質の容器の取出口から１枚づつ取り出して使用するシート積層体に関する。
【背景技術】
【０００２】
シート積層体に関しては、つぎの従来例がある。
図５に示す従来例は、右側シート400と左側シート410に分け、積み重ねたものである。なお、分かりやすくするため、右側シートを太線で示し、左側シートを点線で示している。前記右側シート400はＺ形に折り畳んだもので、上シート部401と中シート部402と下シート部403からなる。中シート部402は積層体の全幅に等しい幅であり、上シート部401と下シート部403は、それぞれ約１／２の幅を有している。前記左側シート410はＳ形に折り畳んだもので、上シート部411と中シート部412と下シート部413とからなる。中シート部412は積層体の全幅に等しい幅であり、上シート部411と下シート部413は、それぞれ約１／２の幅を有している（特許文献１）。
このような折り方をした場合、右側シート400と左側シート410の重なり幅、すなわち、上シート部401と中シート部412との接触領域、そして、上シート部411と中シート部402との接触領域が、いずれも積層体の全幅の１／２と大きくなる。しかも、この重なり幅の大小は調整できないので、シートの素材が摩擦の大きいものであるときは、１枚目のシートを取出すと、２枚目のシートも引きずり出され、ズルズルと連続して引き出すようになったり、またこのため、取出口を蓋やラベルにより密封できなくなるという問題がある。要するにシートの重なり幅を調整することができないことにより、上記のような問題が生じているのである。
【０００３】
【特許文献１】特開２０００−１６６８０３
【発明の開示】
【発明が解決しようとする課題】
【０００４】
本発明は上記事情に鑑み、シート同士の重なり幅を調整でき、シートの素材の種類を問わず、シートの１枚目をつまみ出せば、２枚目のシートの頭出しが行え、しかも全体をズルズルと引きずり出すことがないシート積層体を提供することを目的とする。
【課題を解決するための手段】
【０００５】
第１発明のシート積層体は、第１シートと第２シートを交互に積み重ねたウエットシートの積層体であって、前記第１シートは、Ｚ形に折り畳んだ、上シート部と中シート部と下シート部からなり、かつ前記上シート部は前記中シート部と下シート部より幅広であり、前記第２シートは、Ｓ型に折り畳んで、上シート部と中シート部と下シート部からなり、前記第１シートと前記第２シートを、Ｚ字状に配置した第１シート、Ｓ字状に配置した第２シート、左右反転Ｚ字状に配置した第１シート、左右反転Ｓ字状に配置した第２シート、の順で繰返し積み重ねており、前記各第２シートの上シート部を各第１シートの上シート部と中シート部の間に差込み、かつ各第１シートの上シート部を各第２シートの中シート部と下シート部の間に差込んでいることを特徴とする。
第２発明のシート積層体は、第１発明において、前記第２シートの折曲げ点を変え、該第２シートの前記上シート部と前記下シート部のそれぞれの幅を変えて、前記第１シート部との重なり幅を変えて使用することを特徴とする。
【発明の効果】
【０００６】
第１発明によれば、第２シートの上シート部と中シート部を区切る折曲げ点と、中シート部と下シート部を区切る折曲げ点を変えることにより、第２シートにおける上シート部と下シート部の幅を自在に変えることができる。このため第１シートとの重なり幅を大小に変えることができ、互いの摩擦力を調整できるので、シートを１枚ずつ取り出せるように調整できる。
第２発明によれば、第１シートと第２シートの重なり幅を調整して、互いのシート間の摩擦力を適正にできるので、シートの素材を問わず、必ずシートを１枚ずつ取り出せるように調整できる。
【発明を実施するための最良の形態】
【０００７】
つぎに、本発明の実施形態を図面に基づき説明する。
図１は本発明の一実施形態に係るシート積層体の説明図である。図２は同実施形態のシート積層体における標準の重なり幅の使用例を示す説明図である。図３は同実施形態のシート積層体における小さい重なり幅の使用例を示す説明図である。図４は同実施形態のシート積層体における大きい重なり幅の使用例を示す説明図である。なお、図１〜図４において、分かりやすくするため、第１シートを太線で示し、第２シートを点線で示しているが、実際は同様のシートである。
【０００８】
本実施形態のシート積層体は、図１に示すように、第１シート１と第２シート２を交互に積み重ねて積層体に構成したものである。前記第１シート１は、基本形態は、アルファベットのＺ字形に似たＺ形に折り畳んだもので、１枚のシートがＺ形に折り畳まれることにより、上シート部１１と中シート部１２と下シート部１３となっている。そして、前記上シート部１１は、前記中シート部１２や下シート部１３よりも幅広である。例えば、図示の実施形態では、上シート部１１は中シート部１２や下シート部１３の２倍の幅を有している。
【０００９】
前記第２シート２は、基本形態は、アルファベットのＳ字形に似たＳ型に折り畳んだもので、１枚のシートがＳ形に折り畳まれることにより、上シート部２１，中シート部２２，下シート部２３となっている。そして、上シート部２１と中シート部２２を区分けする折曲げ点を第１折曲げ点３１といい、中シート部２２と下シート部２３を区分けする折曲げ点を第２折曲げ点３２という。
【００１０】
前記第１シート１と前記第２シート２は、つぎのように積み重ねられる。すなわち、Ｚ字状に配置した第１シート１、Ｓ字状に配置した第２シート２、前記第１シート１をＺ字の左右反対に配置した左右反転Ｚ字状第１シート１Ｒ、左右反転Ｓ字状第２シート２Ｒ、の順で繰返し積み重ねている。そして、前記各第２シート２，２Ｒの上シート部２１を各第１シート１，１Ｒの上シート部１１と中シート部１２の間に差込み、かつ各第１シート１，１Ｒの上シート部１１を各第２シート２，２Ｒの中シート部２２と下シート部２３の間に差込んでいる。
【００１１】
上記の構成であると、第２シートの第１，第２折曲げ点３１，３２を変えると、上シート部２１と下シート部２３のそれぞれの幅を変えることができ、前記第１シート部の中シート部１２あるいは上シート部１１との重なり幅を変えて使用することができる。
【００１２】
つぎに、図２〜図４に基づき、第１シート１と第２シート２との重なり幅を変えて使用する例を説明する。なお、かっこ内の数字は、各シート部の幅の一例を示すもので、単位はミリメートルである。
（図２の例）
シート積層体の全幅は100ｍｍである。第１シート１の上シート部１１は100ｍｍであり、中シート部１２と下シート部１３はそれぞれ５０ｍｍである。
第２シート２は、上シート部２１が７０ｍｍ、中シート部２２が100ｍｍ、下シート部２３が３０ｍｍである。この第２シート２の中シート部２２の幅は固定であり、第１折曲げ点３１と第２折曲げ点３２を移動させることにより、上シート部２１の幅と下シート部２３の幅を変えることができる。
図示の例では、第１シート１の中シート部１２に対する第２シート２の上シート部２１の重なり幅ｗは、２０ｍｍである。この２０ｍｍの重なり幅ｗは標準である。
【００１３】
（図３の例）
シート積層体の全幅と第１シート１の各シート部１１，１２，１３の幅は、図２の例と同じである。
第２シート２は、第１，第２折曲げ点３１，３２を、上シート部２１の端部側にずらし、図２に比べて、上シート部２１を６０ｍｍに短くし、下シート部２３を４０ｍｍに長くしている。中シート部２２の100ｍｍは同じである。
この場合の第１シート１の中シート部１２に対する第２シート２の上シート部２１の重なり幅ｗは１０ｍｍである。
シート１，２の素材自体の摩擦係数が大きいときは、このように重なり幅ｗを小さくすることにより、２枚のシート間の摩擦力を適正にでき、１枚目をつまみ出せば、２枚目のシートの頭出しが必ず行え、しかも２枚目のシート全体を引きずり出すことがなく、シートの１枚づつの取り出しが可能となる。
【００１４】
（図４の例）
この例でも、シート積層体の全幅と第１シート１の各シート部の幅は、図２の例と同じである。
第２シート２は、第１，第２折曲げ点３１，３２を、下シート部２３の端部側にずらし、図２に比べて、上シート部２１を９０ｍｍに長くし、下シート部２３を１０ｍｍに短くしている。中シート部２２は同じ100ｍｍである。
この場合の第１シート１の中シート部１２に対する第２シート２の上シート部２１の重なり幅ｗは４０ｍｍである。
シート１，２の素材自体の摩擦係数が小さいときは、このように重なり幅ｗを広くすることにより、２枚のシート間の摩擦力を適正にでき、１枚目をつまみ出せば、２枚目のシートの頭出しが必ず行え、しかも２枚目のシート全体を引きずり出すことがなく、シートの１枚づつの取り出しが可能となる。
【００１５】
上記のように、本実施形態のシート積層体では、第２シート２の上シート部２１と中シート部２２間の折り畳み位置３１と、中シート部２２と下シート部２３間の折り畳み位置３２を変えることにより、上シート部２１と下シート部２３の幅を自在に変えることができる。このため第１シート１との重なり幅を大小に変えることができ、互いの摩擦力を調整できるので、シートの素材を問わず、必ずシートを１枚ずつ取り出すことができる。すなわち、１枚目をつまみ出せば、２枚目のシートの頭出しが必ず行え、しかも２枚目のシート全体を引きずり出すことがない
【００１６】
図２の（Ｂ）図は、多数枚の前記各シート１，２を収納袋３に収納した状態を示す断面図である。この（Ｂ）図に示すように、各シート１，２は、Ｚ字配置・Ｓ字配置のシート１，２と左右反転Ｚ字配置・左右反転Ｓ字配置のシート１Ｒ，２Ｒが、交互に同枚数用いられるので、重なり枚数が積層体の全幅で等しくなり、積み重ねた状態で中高にも中低にもならない。このため、軟性の収納袋であっても安定的に置けるので、シートの取り出しが容易に行え、片手でも可能となる。
【００１７】
本発明におけるシート積層体は、左右各シート１，２の折畳み形状と折曲げ点３１，３２に特徴があるもので、その材質や大きさは、任意に選択できるものである。したがって、シート材質としては公知のものを何ら制限なく用いることができ、大きさも制限なく大小様々のものを用いることができる。また、ウエットシートにもドライシートにも適用できるものである
【図面の簡単な説明】
【００１８】
【図１】本発明の一実施形態に係るシート積層体の説明図である。
【図２】同実施形態のシート積層体における標準の重なり幅の使用例を示す説明図である。
【図３】同実施形態のシート積層体における小さい重なり幅の使用例を示す説明図である。
【図４】同実施形態のシート積層体における大きい重なり幅の使用例を示す説明図である。
【図５】従来のシート積層体の説明図である。
【符号の説明】
【００１９】
１    第１シート
２    第２シート
１１    上シート部
１２    中シート部
１３    下シート部
２１    上シート部
２２    中シート部
２３    下シート部
３１    第１折曲げ点
３２    第２折曲げ点
【図１】
2005287610.tif 000003
【図２】
2005287610.tif 000004
【図３】
2005287610.tif 000005
【図４】
2005287610.tif 000006
【図５】
2005287610.tif 000007